(57)【特許請求の範囲】
【請求項１】
外枠(2) に上下一対のヒンジ(4)(5)を介して前枠(3) を縦方向のヒンジ軸(25)(26)廻りに開閉及び着脱自在に枢着した弾球遊技機において、前枠(3) を前側から覆う前枠カバー(46)(47)と、各ヒンジ(4)(5)を覆う合成樹脂製のヒンジカバー(29)(30)とを別体構造とし、各ヒンジカバー(29)(30)に取り付け部(29a)(30a)を一体に設け、該取り付け部(29a)(30a)を前枠カバー(46)(47)で前枠(3) 側に押さえて固定し、取り付け部(29a)(30a)に取り付け孔(29b)(30b)を、前枠カバー(46)(47)に、その取り付け孔(29b)(30b)に嵌合する取り付けボス(46a)(47a)を夫々設けたことを特徴とする弾球遊技機。
【請求項２】
上側のヒンジ(4) を側方から着脱可能に構成し、この上側のヒンジ(4) を前側及び下側から覆うようにヒンジカバー(29)を設けたことを特徴とする請求項１に記載の弾球遊技機。
【請求項３】
下側のヒンジ(5) を上下に着脱可能に構成し、この下側のヒンジ(5) を前側及び上側から覆うようにヒンジカバー(30)を設けたことを特徴とする請求項１又は２に記載の弾球遊技機。
【請求項４】
ヒンジカバー(29)(30)の左右外側面に、前枠(3) の開閉時にヒンジ(4)(5)と干渉しないように切り欠き部(54)(66)を設けたことを特徴とする請求項１、２又は３に記載の弾球遊技機。
【発明の詳細な説明】
【０００１】
【発明の属する技術分野】
本発明は、パチンコ機、アレンジボール機等の弾球遊技機、取り分けその外枠に前枠を開閉及び着脱自在に枢着するヒンジ装置に関するものである。
【０００２】
【従来の技術】
パチンコ機等の弾球遊技機では、外枠に上下一対のヒンジを介して前枠を開閉及び着脱自在に枢着し、必要に応じて開閉体をそのヒンジ軸廻りに開閉し又は着脱できるようになっている。
この弾球遊技機のヒンジには、従来、外枠側に固定された固定ブラケット及び前枠側に固定された可動ブラケットを板金材等により構成し、その固定ブラケットと可動ブラケットとの一方に金属製のヒンジ軸を固定し、他方に、ヒンジ軸が上下方向に嵌脱自在に嵌合する嵌合孔を形成したものを使用し、そのヒンジが前枠の前面から前方に突出して露出するように設けている。
【０００３】
【発明が解決しようとする課題】
従来の弾球遊技機では、前枠の前面に化粧シートを装着する等によって種々のデザインの装飾を施しているが、金属製のヒンジが前枠の前面から前方に突出した状態で露出しているため、このヒンジと前面側の他の部分とが調和し難く、ヒンジによって弾球遊技機全体の前側のデザイン性が低下する欠点がある。
また上下の金属製のヒンジが露出状態で前枠から前方に突出しているため、ヒンジに接触して怪我をしたり、前枠の開閉時にヒンジに何等かのものが挟まれる等の問題もある。
本発明は、このような従来の課題に鑑み、ヒンジが露出しないようにして、前面側の全体のデザイン性を良好にできると共に、ヒンジとの接触による怪我等を防止でき安全性が向上する弾球遊技機を提供することを目的とする。
【０００４】
【課題を解決するための手段】
本発明は、外枠2 に上下一対のヒンジ4,5 を介して前枠3 を縦方向のヒンジ軸25,26 廻りに開閉及び着脱自在に枢着した弾球遊技機において、前枠3 を前側から覆う前枠カバー46,47 と、各ヒンジ4,5 を覆う合成樹脂製のヒンジカバー29,30 とを別体構造とし、各ヒンジカバー29,30 に取り付け部29a,30a を一体に設け、該取り付け部29a,30a を前枠カバー46,47 で前枠3 側に押さえて固定し、取り付け部29a,30a に取り付け孔29b,30b を、前枠カバー46,47 に、その取り付け孔29b,30b に嵌合する取り付けボス46a,47a を夫々設けている。
【０００５】
【発明の実施の形態】
以下、本発明の実施形態を図面に基づいて詳述する。
図面は本発明の第１の実施形態を例示する。図１乃至図４において、１  は弾球遊技機本体で、矩形枠状の外枠２  と、この外枠２  の前側に配置された前枠３  とを備えている。前枠３  は左端側の上下一対のヒンジ４，５  を介して外枠２  に着脱及び開閉自在に装着され、施錠手段により閉状態にロックされている。
前枠３  の裏側には、窓孔６  に対応して矩形状の遊技盤装着枠７  が固定され、この遊技盤装着枠７  に裏側から遊技盤８  が着脱自在に嵌合され、裏機構板９  により固定されている。遊技盤８  の前面には、遊技球を案内するガイドレール１０、障害釘１１等の他に、変動図柄表示手段等の遊技部品が装着されている。
前枠３  の窓孔６  には、図２乃至図４に示すように、遊技盤８  を前面側から覆うガラス扉１２と、このガラス扉１２の下側の開閉板１３とが開閉自在に配置され、施錠手段により閉状態にロックされている。開閉板１３には合成樹脂製の上皿ユニット１４が装着され、この上皿ユニット１４は上皿１５と、上皿１５を覆う上皿カバー１６とにより構成されている。
【０００６】
前枠３  の下部には、下皿ユニット１７と発射手段１８の発射ハンドル１９とが左右に配置されている。下皿ユニット１７は、上皿１５から溢流した遊技球を受ける下皿２０と、喫煙しながらゲームを行う喫煙者用の灰皿２１と、これらを覆う下皿カバー２２とにより構成されている。
前上ヒンジ４  及び前下ヒンジ５  は、図５乃至図１３に示すように、外枠２  に固定された固定ブラケット２３，２４  と、この固定ブラケット２３，２４  の前端部に上向きに固定されたヒンジ軸２５，２６  と、前枠３  に固定され且つ固定ブラケット２３，２４  により下側から支持される可動ブラケット２７，２８  とを夫々備え、合成樹脂製のヒンジカバー２９，３０  により覆われている。
固定ブラケット２３，２４  は取り付け部３１，３２  を一体に備え、外枠２  から前方に突出するように、その取り付け部３１，３２  がネジで外枠２  に固定されている。なお、固定ブラケット２３の取り付け部３１は、外枠２  の上端左隅部を外側から補強するように、外枠２  の上枠部３３と縦枠部３４とに跨がって固定され、また固定ブラケット２４の取り付け部３２は、外枠２  の前横枠部３５と縦枠部３４とに跨がって内側に固定されている。
【０００７】
ヒンジ軸２５，２６  は円柱状で、その長さは、下側のヒンジ軸２６が上側のヒンジ軸２５よりも大になっている。上側のヒンジ軸２５の上端部は球面状に突出形成され、下側のヒンジ軸２６の上端はテーパー状の截頭円錐形になっている。
可動ブラケット２７，２８  は取り付け部３６，３７  を一体に備え、前枠３  から前方に突出するように、その取り付け部３６，３７  がネジで前枠３  に固定されている。なお、可動ブラケット２７は、その取り付け部３６が前枠３  の左上端から裏側に跨がって固定され、また可動ブラケット２８は、その取り付け部３７が前枠３  の左下端から裏側に跨がって固定されている。各可動ブラケット２７，２８  の前端部には、固定ブラケット２３，２４  のヒンジ軸２５，２６  に対して上側から嵌脱自在に嵌合する円形状の嵌合孔３８，３９  が形成されている。
【０００８】
前上ヒンジ４  の可動ブラケット２７の前端部には、図７乃至図１０に示すように、嵌合孔３８が形成されると共に、下面側に前枠３  の左右方向と略平行に案内部４１が凹入状に切り欠き形成されている。案内部４１は、前下ヒンジ５  の嵌合孔３９とヒンジ軸２６とを嵌合させて可動ブラケット２８を固定ブラケット２４上に載せた状態において、前下ヒンジ５  側を支点として前上ヒンジ４  の可動ブラケット２７側を側方から固定ブラケット２３側に移動させた時に、この前上ヒンジ４  の可動ブラケット２７がヒンジ軸２５により押し上げられるように、前上ヒンジ４  のヒンジ軸２５を嵌合孔３８側に案内するためのものである。
案内部４１は、可動ブラケット２７の左右方向の外端側から嵌合孔３８側に通じるように前枠３  の左右方向と略平行に配置されている。また案内部４１は、嵌合孔３８側から外側に向かって次第に広がるように形成されており、その開口端側の高さは、可動ブラケット２７を固定ブラケット２３上に載せた時に、ヒンジ軸２５の上端側が案内部４１の開口端側に入る程度になっている。なお、案内部４１は、その全長に亘って同一半径で凹入するように断面円弧状になっている。
【０００９】
前上ヒンジ４  の固定ブラケット２３の前端側には、可動ブラケット２７を側方から固定ブラケット２３側に寄せた時に、その可動ブラケット２７の先端が固定ブラケット２３上に乗り上がるように案内する傾斜案内面２３ａ  が設けられている。
上下の固定ブラケット２３，２４  の上面間の間隔は、その固定ブラケット２３，２４  で可動ブラケット２７，２８  を下側から支持するように、上下の可動ブラケット２７，２８  の下面間の間隔と略同じになっている。
前枠３  はベニヤ板製であって、図５及び図６に示すように、窓孔６  を形成すべく上下、左右に配置された上枠部４２、下枠部４３及び左右の側枠部４４，４５  を一体に備えている。そして、前枠３  の下枠部４３には、この下枠部４３の全体を前面側から覆うように下皿カバー２２と一体の合成樹脂製の下前枠カバー４６が装着され、また左右の側枠部４４，４５  には、この各側枠部４４，４５  を前面側から覆うように合成樹脂製の上前枠カバー４７，４８  が装着されている。
【００１０】
前枠３  の各側枠部４４，４５  の前面には、図３乃至図５に示すように、窓孔６  側に上下方向の全長に亘って階段状の段部４４ａ，４５ａ  が形成されると共に、上下方向に複数個の取り付け孔４４ｂ，４５ｂ  が形成され、その左側の側枠部４４の段部４４ａ  に、ガラス扉１２を枢支する板金製の枢支枠部４９が、右側の側枠部４５の段部４５ａ  に、ガラス扉１２を施錠する板金製の施錠枠部５０側が夫々上下方向に配置されている。枢支枠部４９及び施錠枠部５０は、上前枠カバー４７，４８  の裏側にネジにより固定されている。枢支枠部４９の窓孔６  側に、枢軸５１を介してガラス扉１２及び開閉板１３が開閉自在に枢着され、また施錠枠部５０の窓孔６  側に、施錠手段の施錠板５２が上下方向に組み込まれている。
左右の上前枠カバー４７，４８  は、下皿カバー２２から上側で側枠部４４，４５  に沿って前枠３  の上端までを前面側から覆うように、側枠部４４，４５  と略同一幅で上下方向に長い正面視帯状に構成されている。上前枠カバー４７，４８  は、上下方向に複数個の取り付けボス４７ａ，４８ａ  を裏側に一体に備え、この取り付けボス４７ａ，４８ａ  を各側枠部４４，４５  の取り付け孔４４ｂ，４５ｂ  に挿入した状態で、遊技盤装着枠７  に裏側から挿入されたネジ５３を取り付けボス４７ａ，４８ａ  に螺合することにより、前枠３  に遊技盤装着枠７  と共締めで固定されている。
【００１１】
左側の上前枠カバー４７の上端部には、前上ヒンジ４  を覆う上ヒンジカバー２９が一体に形成されている。上ヒンジカバー２９は、図７乃至図１０に示す如く前上ヒンジ４  を上側、前側及び下側から覆うように、上前枠カバー４７の上端部側から前上ヒンジ４  に沿って前方に突出しており、可動ブラケット２７の案内部４１に対応する左側面には、着脱及び回動用の切り欠き部５４が形成され、前上ヒンジ４  の着脱時、及び前枠３  の開閉時に、この切り欠き部５４を経て固定ブラケット２３が側方に出退するようになっている。
ガラス扉１２は、図２乃至図５に示すように、金属板製のガラス扉枠５５と、このガラス扉枠５５の前面側に装着された合成樹脂製の扉カバー５６と、ガラス扉枠５５の裏側に固定されたガラス保持レール５７と、このガラス保持レール５７に上側から挿入された２枚のガラス板５８とにより構成されている。ガラス扉枠５５及び扉カバー５６は、図２に示す如く、ガラス扉１２を閉じた時に左右の上前枠カバー４７，４８  間で前枠３  の上枠部４２を前側から覆うように、上部側が前枠３  の上端側まで延びている。なお、扉カバー５６の上部には、大当たり表示用等の表示部５９が左右方向に配置されている。
【００１２】
下皿２０は、図６に示すように、灰皿支持部６０と共に合成樹脂製の骨格体６１に一体に形成され、化粧板６２を介して開閉板１３の前面に左右方向に固定されている。下皿カバー２２は、下皿２０に対応する開口部６３と灰皿２１に対応する切り欠き部６４とを備え、化粧板６２、骨格体６１を覆うように開閉板１３の前面に固定され、且つ骨格体６１により支持されている。灰皿２１は、骨格体６１の灰皿支持部６０に横軸廻りに回動自在に支持されている。
下皿カバー２２の左右両側及び下側には、開閉板１３を前側から覆うように下前枠カバー４６が一体に形成され、この下前枠カバー４６の左下隅部に、前下ヒンジ５  を覆う下ヒンジカバー３０が一体に形成されている。下ヒンジカバー３０は、図１１乃至図１３に示すように、前下ヒンジ５  を上側及び前側から覆うように、下前枠カバー４６の左端部側から前下ヒンジ５  の固定ブラケット２４及び可動ブラケット２８に沿って前方に突出している。そして、下ヒンジカバー３０は、前下ヒンジ５  を上下に着脱できるように下側が開放し、また左側面に回動用の切り欠き部６６が形成され、前枠３  の開閉時にこの切り欠き部６６を経て固定ブラケット２４がヒンジ軸２６廻りに出退回動するようになっている。
【００１３】
上記構成のヒンジ装置を有する弾球遊技機において、外枠２  に上下の前上ヒンジ４  と前下ヒンジ５  とを介して前枠３  を装着する場合には、前枠３  を外枠２  に対して前側から略直角方向に向けた状態で前下ヒンジ５  側を結合し、その状態で前枠３  の上側を外枠２  側に寄せながら前上ヒンジ４  を側方から結合する。
前下ヒンジ５  側を結合する場合には、下ヒンジカバー３０の下側が開放状態になっているので、前下ヒンジ５  の固定ブラケット２４側のヒンジ軸２６に対して可動ブラケット２８の嵌合孔３９を上側から合わせて、図１４に示すように、その嵌合孔３９にヒンジ軸２６を嵌合させる。
従って、前下ヒンジ５  を覆う下ヒンジカバー３０があるにも拘わらず、前下ヒンジ５  を容易に結合できる。また前下ヒンジ５  を結合した状態では、固定ブラケット２４上に可動ブラケット２８が当接しており、この固定ブラケット２４によって前枠３  側の加重を支持できるので、前上ヒンジ４  側を結合する際に前枠３  側の重量を容易に支えることができる。
【００１４】
前下ヒンジ５  を結合した後に、図１４に示すように、上ヒンジカバー２９の切り欠き部５４側を経て前上ヒンジ４  側の案内部４１をヒンジ軸２５側に向けた状態で、前下ヒンジ５  を支点として前枠３  全体を起こしながら、前上ヒンジ４  の可動ブラケット２７を側方から固定ブラケット２３側へと寄せて行く。すると上ヒンジカバー２９の切り欠き部５４を経て固定ブラケット２３が側方から相対的にヒンジカバー２９内へと進入し、固定ブラケット２３の上側に可動ブラケット２７が載って行く。この時、前上ヒンジ４  の固定ブラケット２３の先端側には傾斜案内面２３ａ  があるので、固定ブラケット２３と可動ブラケット２７との先端同士が干渉することなく、その傾斜案内面２３ａ  により可動ブラケット２７を固定ブラケット２３の上側に容易且つ円滑に案内することができる。
そして、可動ブラケット２７が固定ブラケット２３の上側に載れば、可動ブラケット２７の案内部４１の開口端側にヒンジ軸２５の上端側が入るので、次に前枠３  の上部側を外枠２  側へと押圧する。するとヒンジ軸２５の上端側が案内部４１に沿って摺動して、この案内部４１の傾斜角度に応じてヒンジ軸２５が可動ブラケット２７を上方へと押し上げるので、この可動ブラケット２７を介して前枠３  側が上昇し、ヒンジ軸２５が案内部４１に沿って嵌合孔３８側へと摺動して行く。
【００１５】
この時、前枠３  の下部側が上昇して前下ヒンジ５  の可動ブラケット２８が固定ブラケット２４から若干浮き上がるが、上側のヒンジ軸２５に比較して下側のヒンジ軸２６の長さが大になっているため、下側のヒンジ軸２６が可動ブラケット２８の嵌合孔３９から外れるようなこともない。
上側のヒンジ軸２５が案内部４１を通過すれば、そのヒンジ軸２５が可動ブラケット２７の嵌合孔３８に一致するので、前枠３  全体が上下のヒンジ軸２５，２６  に沿って下降して、前上ヒンジ４  側のヒンジ軸２５が可動ブラケット２７の嵌合孔３８に下側から嵌合すると共に、上下の可動ブラケット２７，２８  が各固定ブラケット２３，２４  に当接して下側から支持され、これによって前枠３  の枢着が完了する。
外枠２  に枢着した前枠３  は、外枠２  の前側に当接する閉状態までヒンジ軸２５，２６  廻りに回動させた後、その閉状態で施錠装置により施錠して外枠２  に固定すれば良い。
前枠３  を取り外す場合には、前枠３  を上下のヒンジ軸２５，２６  に沿って持ち上げて、そのヒンジ軸２５，２６  を可動ブラケット２７，２８  の嵌合孔３８，３９  から上方に抜けば良い。
【００１６】
上記構成の弾球遊技機によれば、次のような利点がある。
前枠３  の各側枠部４４，４５  の前側に合成樹脂製の上前枠カバー４７，４８  、下枠部４３の前側に下皿カバー２２と一体の合成樹脂製の下前枠カバー４６、ガラス扉１２のガラス扉枠５５の前側に合成樹脂製の扉カバー５６、開閉板１３の前側に合成樹脂製の上皿カバー１６が夫々あり、これらの各カバー１６，２２，４６，４７，４８，５６  によって前面側から覆っているため、その形状によって弾球遊技機全体の前側のデザインを自由に決定することができる。
また前上ヒンジ４  を覆う合成樹脂製の上ヒンジカバー２９、前下ヒンジ５  を覆う合成樹脂製のヒンジカバー３０を夫々設けているので、金属製の各ヒンジ４，５  が前面側に露出することがなく、合成樹脂製の上前枠カバー４７，４８  等とのデザイン的調和が取り易くなり、弾球遊技機全体の前面側のデザイン性が著しく向上する。また各ヒンジ４，５  を合成樹脂製のヒンジカバー２９，３０  で覆っているため、ヒンジ４，５  と接触して怪我をするようなことがなく、デザイン性と同時に安全性も向上する。
しかも上前枠カバー４７，４８  の裏側に枢支枠部４９、施錠枠部５０があり、この上前枠カバー４７，４８  によって前枠３  の各側枠部４４，４５  と共に枢支枠部４９、施錠枠部５０を前面側から覆っているので、板金製の枢支枠部４９、施錠枠部５０が前面側に露出することもない。
【００１７】
上ヒンジカバー２９は上前枠カバー４７，４８  に、下ヒンジカバー３０は下前枠カバー４６に夫々合成樹脂材料によって一体に成形しているので、部品点数の削減、製作コストの低減、組み立て作業の能率化を図ることができる。
前下ヒンジ５  は固定ブラケット２４のヒンジ軸２６に対して可動ブラケット２８の嵌合孔３９に上側から嵌脱する構造であり、また前上ヒンジ４  は固定ブラケット２３のヒンジ軸２５に可動ブラケット２７の案内部４１を側方から合わせた状態で、その案内部４１でヒンジ軸２５を案内しながらヒンジ軸２５を可動ブラケット２７の嵌合孔３８に嵌合させる構造であるため、前上ヒンジ４  、前下ヒンジ５  を覆うヒンジカバー２９，３０  があるにも拘わらず、前枠３  を前上ヒンジ４  、前下ヒンジ５  を介して外枠２  に容易且つ確実に着脱できる。
しかも前上ヒンジ４  及び前下ヒンジ５  の構造が非常に簡単であり、従来に比較して前上ヒンジ４  及び前下ヒンジ５  を容易且つ安価に製作できると共に、前上ヒンジ４  及び前下ヒンジ５  の耐久性が向上する。
特に前上ヒンジ４  は側方から着脱する構造とし、上ヒンジカバー２９は上側、前側及び下側から前上ヒンジ４  を覆う構造とし、この上ヒンジカバー２９の外側に切り欠き部５４を設けているので、前上ヒンジ４  を容易に着脱できると共に、前上ヒンジ４  がゲーム中の遊技者から見えることもない。
【００１８】
また前下ヒンジ５  は固定ブラケット２４のヒンジ軸２６に対して可動ブラケット２８の嵌合孔３９を上側から嵌脱する構造とし、この前下ヒンジ５  を覆う下ヒンジカバー３０の下側を開放状態にしているので、前下ヒンジ５  の着脱を容易にできる。しかも下ヒンジカバー３０は下側が開放状態であっても、位置的に低いので、ゲーム中の遊技者から見えることもない。
更に前枠３  を外枠２  に装着する場合には、前下ヒンジ５  を結合した後に、前上ヒンジ４  の案内部４１をヒンジ軸２５に合わせながら、前下ヒンジ５  を支点として前上ヒンジ４  の可動ブラケット２７を側方から固定ブラケット２３のヒンジ軸２５側に移動させて行けば、ヒンジ軸２５が案内部４１、可動ブラケット２７を介して前枠３  を持ち上げながら嵌合孔３８に嵌合するので、前枠３  を持ち上げて嵌合させる必要がなく、前枠３  を極く簡単に外枠に装着できる。
前枠３  を装着した状態では、上下のヒンジ軸２５，２６  が可動ブラケット２７，２８  の嵌合孔３８，３９  に嵌合しているので、ヒンジ軸２５，２６  廻りに前枠３  を容易且つ確実に開閉自在に枢支できる。
【００１９】
前枠3 を外枠から取り外す時には、下側のヒンジ軸26の長さ分だけ前枠3 を持ち上げれば良く、前枠3 を外枠から極く簡単に取り外すことができる。
図１５及び図１６は本発明の第２の実施形態を例示し、各ヒンジカバー29,30 を前枠カバー46,47 から分離した別体構造とし、各ヒンジカバー29,30 に取り付け部29a,30a を一体に設け、その取り付け部29a,30a を前枠カバー46,47 で押圧して前枠3 に固定したものである。
取り付け部29a,30a には各前枠カバー46,47 の取り付けボス46a,47a に対応する取り付け孔29b,30b が形成され、この取り付け孔29b,30b に前枠カバー46,47 の取り付けボス46a,47a を挿通した状態で、前枠カバー46,47 と前枠3 との間で取り付け部29a,30a を挟持して共締めにより固定するようになっている。
この場合には、ヒンジカバー29,30 が前枠カバー46,47 と別体であるため、部品点数は増加するものの、前枠カバー46,47 の合成樹脂材料に関係なくヒンジカバー29,30 に適した合成樹脂材料を使用でき、またヒンジカバー29,30 が損傷した場合の交換等も容易にできる。
【００２０】
以上、本発明の実施形態について説明したが、本発明はこの実施形態に限定されるものではない。
例えば、前上ヒンジ４  と前下ヒンジ５  は、着脱時に上下方向の動きの少ないものか、又は側方から着脱するものであれば良く、実施形態以外の構造を採用しても良い。
また実施形態の構成を採用する場合にも、前下ヒンジ５  の固定ブラケット２４と可動ブラケット２８とが上下に当接した時に、前上ヒンジ４  の固定ブラケット２３と可動ブラケット２７との間に適当な間隙を設けても良い。
更に各ヒンジカバー２９，３０  は、前枠カバー４６，４７  から分離した場合、各ヒンジ４，５  の可動ブラケット２７，２８  側に固定するようにしても良い。その場合、可動ブラケット２７，２８  をヒンジカバー２９，３０  内にモールドするように、可動ブラケット２７，２８  を金型内に入れてヒンジカバー２９，３０  を成形することも可能である。
【００２１】
【発明の効果】
本発明によれば、前枠3 を前側から覆う前枠カバー46,47 と、各ヒンジ4,5 を覆う合成樹脂製のヒンジカバー29,30 とを別体構造とし、各ヒンジカバー29,30 に取り付け部29a,30a を一体に設け、該取り付け部29a,30a を前枠カバー46,47 で前枠3 側に押さえて固定し、取り付け部29a,30a に取り付け孔29b,30b を、前枠カバー46,47 に、その取り付け孔29b,30b に嵌合する取り付けボス46a,47a を夫々設けているので、前面側の全体のデザイン性を良好にできると共に、ヒンジ4,5 との接触による怪我等を防止でき安全性が向上する。また前枠カバー46,47 の材料に関係なく最適な合成樹脂材料によりヒンジカバー29,30 を製作でき、また組み立て作業も能率的に行える。しかもヒンジカバー29,30 を容易に交換できる。
【図面の簡単な説明】
【図１】本発明の第１の実施形態を示す弾球遊技機の斜視図である。
【図２】本発明の第１の実施形態を示す弾球遊技機の縦断面図である。
【図３】本発明の第１の実施形態を示す弾球遊技機の横断面図である。
【図４】本発明の第１の実施形態を示す弾球遊技機の横断面図である。
【図５】本発明の第１の実施形態を示す前枠側の分解斜視図である。
【図６】本発明の第１の実施形態を示す前枠下部の分解斜視図である。
【図７】本発明の第１の実施形態を示す前上ヒンジ部分の側面断面図である。
【図８】本発明の第１の実施形態を示す前上ヒンジ部分の正面断面図である。
【図９】本発明の第１の実施形態を示す前上ヒンジ部分の平面断面図である。
【図１０】本発明の第１の実施形態を示す前上ヒンジ部分の側面断面図である。
【図１１】本発明の第１の実施形態を示す前下ヒンジ部分の側面断面図である。
【図１２】本発明の第１の実施形態を示す前下ヒンジ部分の平面断面図である。
【図１３】本発明の第１の実施形態を示す前下ヒンジ部分の正面断面図である。
【図１４】本発明の第１の実施形態を示す結合過程の正面断面図である。
【図１５】本発明の第２の実施形態を示すヒンジ部分の分解斜視図である。
【図１６】本発明の第２の実施形態を示すヒンジ部分の縦断面図である。
【符合の説明】
２      外枠
３      前枠
４      前上ヒンジ
５      前下ヒンジ
２５，２６      ヒンジ軸
２９    上ヒンジカバー
３０    下ヒンジカバー
４６    下前枠カバー
４７    上前枠カバー
５４，６６      切り欠き部
【図１】
0003604115.tif 000002
【図２】
0003604115.tif 000003
【図３】
0003604115.tif 000004
【図４】
0003604115.tif 000005
【図５】
0003604115.tif 000006
【図６】
0003604115.tif 000007
【図７】
0003604115.tif 000008
【図８】
0003604115.tif 000009
【図９】
0003604115.tif 000010
【図１０】
0003604115.tif 000011
【図１１】
0003604115.tif 000012
【図１２】
0003604115.tif 000013
【図１３】
0003604115.tif 000014
【図１４】
0003604115.tif 000015
【図１５】
0003604115.tif 000016
【図１６】
0003604115.tif 000017